(57)【特許請求の範囲】
【請求項１】
棒状の杖脚部と、前記杖脚部の一方の地面または床に当接する下側部位の適宣位置に、伸縮自在の調節脚部と、他方の上側先端部位に、連結一体直線状で杖握持部とを、それぞれ備えた杖本体であり、
前記杖握持部に内蔵して、傘のＵ字形状の傘握持部位を収納して脱着自在に装着する筒状の収納室部を設け、
前記収納室部は、上側先端部位に、前記傘握持部位が出入りする上開口部と、前面側部位に、前記傘握持部位の前方へ突き出して湾曲状に上方へ曲がって延びた形状の突出部位が、前記収納室部内に前記傘握持部位を収納する時に外部へ出て、自在に上下移動できる前開口部とを、それぞれ備えており、
前記杖握持部の外側表面の適宣位置に、前記収納室部内に前記傘握持部位を収納した後、前記杖握持部の外側表面を巻いて被う、適宣位置に面ファスナーの接着部を対で備えた帯状の握持カバー部を設け、
前記握持カバー部は、内側表面の適宣位置に、前記収納室部の前記前開口部を塞いで閉じる、と同時に、前記収納室部内に収納した前記傘握持部位の前面側部位に当接して押圧を与え、後方の内壁に押し付けて仮固定する填圧板部を設けたことを特徴とする傘装着杖。
【請求項２】
傘を前記杖本体に装着しないで、前記傘を前記杖本体に付帯して持ち運ぶ時に、閉じて畳んだ前記傘の前記傘握持部位と傘胴体部位とを、それぞれ巻き締めて前記杖脚部に脱着自在で取り付ける、面ファスナーで接着する細帯状の保持ベルト部を、前記杖脚部の各適宣位置部位に設けたことを特徴とする請求項１の傘装着杖。
【請求項３】
前記収納室部の内壁側面部位の適宣位置に、収納した前記傘握持部位の側面部位に当接して押圧を与え、前記傘握持部位を対向する内壁に押し付けて、可動を防いで仮固定を強化する押圧板部を設け、
前記押圧板部は裏側面部位に、前方への押圧力を受ける受圧部を、上側先端部位付近と下側先端部位付近の各適宣位置に備えており、
前記各受圧部に当接して押圧を与えるネジ部を備えたボルト状の押動部を、それぞれ前記杖握持部の側面適宣位置に設けたことを特徴とする請求項１又は請求項２の傘装着杖。
【請求項４】
傘を装着しない前記杖本体を、杖単一として使用する際に、前記傘握持部位の代わりに前記収納室部内に収納して、前記杖握持部を形成する代替部を設け、
前記代替部は、Ｕ字形状の前記傘握持部位の前記突出部位を短く切断して、前記突出部位に代わる短突出部を備えて、前記傘握持部位と同一のサイズと形状で設け、
前記短突出部の下側底面部位に、吊り下げ状の吊保持部を設けたことを特徴とする請求項１又は請求項２若しくは請求項３の傘装着杖。
【発明の詳細な説明】
【技術分野】
【０００１】  本発明は、歩行する際に杖を必要とする腰や足に不安のある高齢者や病人が、日差しの強い日や雨の日に、一体状の傘と杖を、片手で同時に握持って、歩行外出する傘装着杖に関するものである。
【背景技術】
【０００２】  従来、歩行する際に杖を必要とする腰や足に不安のある高齢者や病人が、日差しの強い日や雨の日に外出する時は、例えば右手で杖をついて左手で傘を差すように、それぞれ別の手で傘と杖を握持って、両手を塞ぐ状態で歩行外出していた。【０００３】  尚、細長状の杖本体の内部を中空状に形成し、該杖本体の内部に折り畳んだ傘を収納可能な杖、傘を収蔵した杖が公知されている（特許文献１参照）。
また、傘収納具を備え、この傘収納具は傘軸を囲むように傘軸に取り付けられ、上下両端が開いた、非透水性の筒状体と、この筒状体の下端に取り付けられた網状体を有する杖、傘収納具付き杖が公知されている（特許文献２参照）。
【先行技術文献】
【特許文献】
【０００４】
【特許文献１】特開２００１−０７００２１号広報
【特許文献２】特開２００５−３２４７５１号広報
【発明の概要】
【発明が解決しようとする課題】
【０００５】  従来の、歩行する際に杖を必要とする腰や足に不安のある高齢者や病人が、日差しの強い日や雨の日に外出する時、右手または左手の一方の片手で、傘と杖を同時に握持して、両手が塞がらない状態で、歩行外出することは不可能だった。
本発明は、以上の問題点を解決する為になされたものである。
【課題を解決するための手段】
【０００６】  棒状の杖脚部と、前記杖脚部の一方の地面または床に当接する下側部位の適宣位置に、伸縮自在の調節脚部と、他方の上側先端部位に、連結一体直線状で杖握持部とを、それぞれ備えた杖本体であり、
前記杖握持部に内蔵して、傘のＵ字形状の傘握持部位を収納して脱着自在に装着する筒状の収納室部を設け、
前記収納室部は、上側先端部位に、前記傘握持部位が出入りする上開口部と、前面側部位に、前記傘握持部位の前方へ突き出して湾曲状に上方へ曲がって延びた形状の突出部位が、前記収納室部内に前記傘握持部位を収納する時に外部へ出て、自在に上下移動できる前開口部とを、それぞれ備えており、
前記杖握持部の外側表面の適宣位置に、前記収納室部内に前記傘握持部位を収納した後、前記杖握持部の外側表面を巻いて被う、適宣位置に面ファスナーの接着部を対で備えた帯状の握持カバー部を設け、
前記握持カバー部は、内側表面の適宣位置に、前記収納室部の前記前開口部を塞いで閉じる、と同時に、前記収納室部内に収納した前記傘握持部位の前面側部位に当接して押圧を与え、後方の内壁へ押し付けて仮固定する填圧板部を設ける。
以上の構成よりなる傘装着杖。
【発明の効果】
【０００７】  従来不可能とされていた、右手または左手の一方の片手で、傘と杖を同時に保持使用することを本発明により可能にし、歩行する際に杖を必要とする腰や足に不安のある高齢者や病人が、日差しの強い日や雨の日に、両手が塞がらずに安全で安心して歩行外出が出来る。
また、本発明は、傘の装脱着が自在であり、傘の必要が無い日は、従来の杖として単一使用して歩行外出が出来、全天候に対応するので無駄が生じず経済的である。
【図面の簡単な説明】
【０００８】
【図１】本発明の斜視図
【図２】本発明の使用状態を示す斜視図
【図３】本発明の使用状態を示す斜視図
【図４】本発明の使用状態を示す斜視図
【図５】本発明の使用状態を示す斜視図
【図６】本発明の一部断面斜視図
【本発明を実施するための形態】
【０００９】  以下、本発明の実施の形態を説明する。
最初に、本発明の傘装着杖（１）は、男性用と女性用があるが、形状と構造は同一であり、この実施の形態では女性用は省略して男性用標準サイズを説明する。
請求項１
（イ）木材またはアルミ材などで、丸棒状の杖脚部（６）と、前記杖脚部（６）の一方の地面または床に当接する下側部位の適宣位置に、伸縮自在の調節脚部（６ｂ）と、他方の上側先端部位に、連結一体直線状の手指で握る杖握持部（３）とを、それぞれ備えた杖本体（２）である。
（ロ）前記杖握持部（３）に内蔵して、傘（Ｋ）のＵ字形状のような傘握持部位（Ｎ）を収納して脱着自在に装着する筒状の収納室部（４）を設ける。
（ハ）前記収納室部（４）は、上側先端部位に前記傘握持部位（Ｎ）が出入りする直径２・５ｃｍ位の上開口部（４ａ）と、前面側部位に、前記傘握持部位（Ｎ）の前方へ突き出して湾曲状に上方へ曲がって延びた形状の突出部位（Ｄ）が、前記収納室部（４）内に前記傘握持部位（Ｎ）を収納する時に外部へ出て、自在に上下移動できる横幅２・５ｃｍ位で縦幅１２・５ｃｍ位の前開口部（４ｂ）とを、それぞれ備えている。
（ニ）前記杖握持部（３）の外側表面部位の、前記前開口部（４）の前方正面から向かって左側縁に沿った適宣位置に、前記収納室部（４）内に前記傘握持部位（Ｎ）を収納した後、前記杖握持部（３）の外側表面を巻いて被う、繊維材または革材などで帯状の握持カバー部（５）を、金具または接着剤などで接着して設ける。
（ホ）前記握持カバー部（５）は、前記杖握持部（３）の外側表面を巻いて被った状態を維持して接着する面ファスナーの接着部（５ａ）を、外側面部位と内側面部位の、巻いて重なる部位の適宣位置に雄雌対で設ける。
（ヘ）前記握持カバー部（５）は、内側表面部位の適宣位置に、前記収納室部（４）の前記前開口部（４ｂ）を塞いで閉じる、と同時に、前記収納室部（４）内に収納した前記傘握持部位（Ｎ）の前面側部位に当接して押圧を与え、前記傘握持部位（Ｎ）を後方の収納室部（４）の内壁に押し付けて仮固定する填圧板部（８）を、金具または接着材などで設ける。
（ト）前記填圧板部（８）は、当接する前記傘握持部位（Ｎ）の前面形状に合わせた密着できる形状構成であり、木材またはアルミ材などで、横幅２ｃｍ位、縦幅１０ｃｍ位である。
請求項２
（チ）傘（Ｋ）を前記傘本体（２）に装着しないで、前記傘（Ｋ）を前記杖本体（２）に付帯して持ち運ぶ時に、閉じて畳んだ前記傘握持部位（Ｎ）と傘胴体部位（Ｅ）とを、それぞれ巻き締めて前記杖脚部（６）に取り付ける、面ファスナーを備えて脱着自在に接着する細帯状の保持ベルト部（６ａ）を、前記杖脚部（６）の各適宣位置部位（図５に示す）に、それぞれ金具または接着剤などで設ける。
請求項３
（リ）前記収納室部（４）の内壁側面部位の適宣位置に、収納した前記傘握持部位（Ｎ）の側面部位に当接して押圧を与え、前記傘握持部位（Ｎ）を対向する内壁に押し付けて可動を防いで仮固定を強化する押圧板部（７）を設ける。
（ヌ）前記押圧板部（７）は、木材またはプラスチック材などで、背面側部位の上側先端付近部位と下側先端付近部位の各適宣位置に、前方への押圧を受ける圧受部（７ｃ）を備えている。
（ル）前記圧受部（７ｃ）に当接して押し圧を与えるネジ部（７ｂ）を備えたボルト状の押動部（７ａ）を、前記杖握持部（３）の側面部位の適宣位置にそれぞれ設ける（図６に示す）。
請求項４
（ヲ）前記傘（Ｋ）を装着しない前記杖本体（２）を、杖単一として使用する際に、前記傘握持部位（Ｎ）に代えて前記収納室部（４）内に収納して、前記傘握持部（３）を形成する代替部（９）を設ける。
（ワ）前記代替部（９）は、Ｕ字形状の前記傘握持部位（Ｎ）の前記突出部位（Ｄ）を短く切断して、前記突出部位（Ｄ）の位置に短突出部（９ｂ）を備えた、前記収納室部（４）に収納する部分は前記傘握持部位（Ｎ）と同一サイズと形状で、木材またはプラスチック材などで設ける。
（カ）前記代替部（９）は、前記短突出部（９ｂ）の下側底面部位に、繊維材または革材などで吊り下げ状の吊保持部を、金具または接着剤などで接着して設ける。
本発明は以上のような構造である。
本発明の傘装着杖（１）を使用する時は、先ず杖本体（２）の杖握持部（３）を巻いて被っている握持カバー部（５）を剥がして開き、装着する傘（Ｋ）の傘握持部位（Ｎ）を、突出部位（Ｄ）が前開口部（４ｂ）から外側へ出た姿勢を保ちながら、上開口部（４ａ）より収納室部（４）内に押し下げるようにして収納する。
次に、前記握持カバー部（５）の内側面部位に設けてある填圧板部（８）が、前記前開口部（４ｂ）を塞いで閉じる位置に合わせ、同時に、前記収納室部（４）内に収納してある前記傘握持部位（Ｎ）に当接して、後方の内壁に押し付けるように、前記握持カバー部（５）を強く巻き締めて押圧を与え、前記収納室部（４）内に前記握持部位（Ｎ）を仮固定状にして、面ファスナーの接着部（５ａ）で接着して前記握持カバー部（５）を閉じる。
続いて、前記杖握持部（３）の側面に設けてある各押動部（７ａ）を、手指で回して、前記収納室部（４）内の押圧板部（７）を前方へ進め、前記傘握持部位（Ｎ）に密着させて隙間を無くして、前記傘握持部位（Ｎ）の仮固定を強化する。
尚、強化する必要がなければ、省略しても良い。
以上の作業で、傘装着杖（１）の使用準備は完了である。
後は、傘（Ｋ）を開いて差し、右手または左手の片手で前記杖握持部（３）を握り持って、従来の杖をついて歩く場合と同じ感覚と要領で外出する。
そして、外出の途中で雨が止む、又は目的地に着く、及び帰宅した際には、先ず傘（Ｋ）を閉じて畳み、前記装着した逆の手順で、前記傘握持部位（Ｎ）を前記収納室部（４）内より取り出して、前記傘（Ｋ）を前記杖本体（２）から外す。
また、傘（Ｋ）を必要としない天候の日に徒歩で外出する時は、前記傘握持部位（Ｎ）の代わりに代替部（９）を、前記手順と同一で、前記収納室部（４）内に収納して前記杖握持部（３）を形成し、前記杖本体（２）を単一で従来の杖として使う。
この時に、前記外した傘（Ｋ）を、前記杖本体（２）に付帯（図５に示す）して持ち運べば、外出途中で天候が変化して雨が降ることがあったとしても、すぐに傘（Ｋ）を前記杖本体（２）に装着して使用できるので、安心して外出ができる。
【符号の説明】
【００１０】１傘装着杖、２傘本体、３杖握持部、４収納室部、４ａ上開口部、４ｂ前開口部、５握持カバー部、５ａ接着部、６杖脚部、６ａ保持ベルト部、６ｂ調節脚部、７押圧板部、７ａ押動部、７ｂネジ部、７ｃ圧受部、８填圧板部、９代替部、９ａ吊保持部、９ｂ短突出部、Ｋ傘、Ｈ傘柄、Ｎ傘握持部位、Ｄ突出部位、Ｅ傘胴体部位、Ｓ使用者、Ｔ手
【要約】      （修正有）【課題】日差しの強い日や雨の日に外出する時、右手または左手の一方の片手で、傘と杖を同時に握持して、両手が塞がらない状態で、歩行外出することは不可能だった。このため、傘と杖を同時に保持使用する傘装着杖を提供する。【解決手段】棒状の杖脚部６と、伸縮自在の調節脚部と、杖握持部３とを、それぞれ備えた杖本体２であり、傘のＵ字形状の傘握持部位Ｎを収納して脱着自在に装着する筒状の収納室部４を設け、前記収納室部内に傘握持部位を収納する時に外部へ出て、自在に上下移動できる前開口部４ｂとを、それぞれ備えており、適宣位置に面ファスナーの接着部を対で備えた帯状の握持カバー部５を設け、握持カバー部は、内側表面の適宣位置に、収納室部の開口部を塞いで閉じる、と同時に、収納室部内に収納した傘握持部位の前面側部位に当接して押圧を与え、仮固定する填圧板部８を設けた傘装着杖。【選択図】図１【図１】
0006858287.tif 000002
【図２】
0006858287.tif 000003
【図３】
0006858287.tif 000004
【図４】
0006858287.tif 000005
【図５】
0006858287.tif 000006
【図６】
0006858287.tif 000007